(57)【要約】【課題】紙媒体書籍からスキャンにより生成された電子書籍データのカジュアルコピーとその頒布を防止する手段を提供する。【解決手段】端末装置１２は紙媒体書籍１８をスキャナー１１により電子化する際、サーバ装置１３に対し紙媒体書籍１８の所有者の連絡先等を示すデータ、スキャナー業者の連絡先等を示すデータ、書籍を識別するデータを送信する。サーバ装置１３は電子書籍ＩＤを生成し、端末装置１２から受信したデータを電子書籍ＩＤに対応付けて記憶する。また、サーバ装置１３は電子書籍ＩＤを示す二次元バーコードを端末装置１２に送信する。端末装置１２は二次元バーコードをスキャナー１１により生成された電子書籍に埋め込む。二次元バーコードの埋め込まれた電子書籍はその所有者やスキャン業者の連絡先が二次元バーコードにより容易に特定可能であるため、電子書籍データの所有者は電子書籍データの安易な頒布を行わなくなる。【選択図】図１
2013168006.tif 000002
【特許請求の範囲】
【請求項１】
サーバ装置が、画像が形成されたシート状媒体である一の書籍の所有者の連絡先を示す所有者連絡先データを取得するステップと、
端末装置が前記サーバ装置に対し、前記所有者連絡先データを特定するデータを送信するステップと、
前記サーバ装置が前記端末装置から、前記所有者連絡先データを特定するデータを受信するステップと、
前記サーバ装置が、前記所有者連絡先データを特定するデータの受信に応じてユニークな識別データを生成し、前記ユニークな識別データと、受信した前記所有者連絡先データを特定するデータにより特定される前記所有者連絡先データとを対応付けて記憶するステップと、
前記サーバ装置が前記端末装置に対し、前記所有者連絡先データを特定するデータに対する応答として、前記ユニークな識別データを送信するステップと、
前記端末装置が前記サーバ装置から、前記ユニークな識別データを受信するステップと、
シート状媒体に形成されている画像を読み取り画像データを生成する装置であるスキャナーが、前記一の書籍に形成されている画像を読み取り、前記一の書籍の画像データを生成するステップと、
前記端末装置が、前記一の書籍の画像データを取得するステップと、
前記端末装置が、前記一の書籍の画像データにより示される画像に対し、前記ユニークな識別データを示す画像を付加した合成画像を示す合成画像データを生成するステップと
を備える方法。
【請求項２】
シート状媒体に画像を形成するプリンターが、前記スキャナーにより画像の読み取りが完了した後の前記シート状媒体にスキャン済みであることを示す画像を形成するステップを備える
請求項１に記載の方法。
【請求項３】
前記端末装置が、前記所有者連絡先データおよび前記ユニークな識別データの少なくとも一方を示す画像の形成を前記プリンターに指示するステップと、
前記プリンターが、前記端末装置の指示に従い、前記所有者連絡先データおよび前記ユニークな識別データの少なくとも一部を示す画像を、前記スキャナーにより画像の読み取りが完了した後の前記シート状媒体にスキャン済みであることを示す画像として形成する
請求項２に記載の方法。
【請求項４】
前記端末装置が前記サーバ装置に対し、前記一の書籍を識別する書籍識別データを送信するステップと、
前記サーバ装置が前記端末装置から、前記書籍識別データを受信するステップと、
前記サーバ装置が、前記ユニークな識別データと前記書籍識別データとを対応付けて記憶するステップと
を備える請求項１乃至３のいずれかの方法。
【請求項５】
前記サーバ装置が、前記端末装置の使用者の連絡先を示す使用者連絡先データを取得するステップと、
前記端末装置が前記サーバ装置に対し、前記使用者連絡先データを特定するデータを送信するステップと、
前記サーバ装置が前記端末装置から、前記使用者連絡先データを特定するデータを受信するステップと、
前記サーバ装置が、前記ユニークな識別データと、受信した前記使用者連絡先データを特定するデータにより特定される前記使用者連絡先データとを対応付けて記憶するステップと
を備える請求項１乃至４のいずれかに記載の方法。
【請求項６】
前記サーバ装置が、前記所有者連絡先データを特定するデータの受信に応じて、現在時刻を示す時刻データを取得するステップと、
前記サーバ装置が、前記ユニークな識別データと前記時刻データとを対応付けて記憶するステップと
を備える請求項１乃至５のいずれかに記載の方法。
【請求項７】
前記端末装置が、公開鍵基盤における前記端末装置の秘密鍵を用いて前記合成画像データにデジタル署名を施すステップ
を備える請求項１乃至６のいずれかに記載の方法。
【請求項８】
前記サーバ装置が、公開鍵基盤における前記端末装置の公開鍵を記憶するステップと、
前記サーバ装置が、前記端末装置の公開鍵の要求を示す要求データを受信するステップと、
前記サーバ装置が、前記要求データの受信に応じて、前記要求データの送信元の装置に対し前記端末装置の公開鍵を送信するステップと
を備える請求項７に記載の方法。
【請求項９】
画像が形成されたシート状媒体である一の書籍の所有者の連絡先を示す所有者連絡先データを取得する取得手段と、
端末装置から、前記所有者連絡先データを特定するデータを受信する受信手段と、
前記受信手段による前記所有者連絡先データを特定するデータの受信に応じてユニークな識別データを生成する生成手段と、
前記生成手段により生成された前記ユニークな識別データと、前記受信手段により受信された前記所有者連絡先データを特定するデータにより特定される前記所有者連絡先データとを対応付けて記憶する記憶手段と、
前記端末装置に対し、前記受信手段により受信された前記所有者連絡先データを特定するデータに対する応答として、前記ユニークな識別データを送信する送信手段と
を備えるサーバ装置。
【請求項１０】
前記送信手段は、前記端末装置から前記一の書籍を識別する書籍識別データを受信し、
前記記憶手段は、前記ユニークな識別データと前記書籍識別データとを対応付けて記憶する
請求項９に記載のサーバ装置。
【請求項１１】
前記取得手段は、前記端末装置の使用者の連絡先を示す使用者連絡先データを取得し、
前記受信手段は、前記端末装置から、前記使用者連絡先データを特定するデータを受信し、
前記記憶手段は、前記ユニークな識別データと、前記受信手段により受信された前記使用者連絡先データとを対応付けて記憶する
請求項９または１０に記載のサーバ装置。
【請求項１２】
前記受信手段による前記所有者連絡先データを特定するデータの受信に応じて、現在時刻を示す時刻データを取得する時刻データ取得手段を備え、
前記記憶手段は、前記ユニークな識別データと、前記時刻データ取得手段により取得された前記時刻データとを対応付けて記憶する
請求項９乃至１１のいずれかに記載のサーバ装置。
【請求項１３】
前記記憶手段は、公開鍵基盤における前記端末装置の公開鍵を記憶し、
前記受信手段は、前記端末装置の公開鍵の要求を示す要求データを受信し、
前記送信手段は、前記受信手段による前記要求データの受信に応じて、前記要求データの送信元の装置に対し前記端末装置の公開鍵を送信する
請求項９乃至１２のいずれかに記載のサーバ装置。
【請求項１４】
サーバ装置に対し、画像が形成されたシート状媒体である一の書籍の所有者の連絡先を示す所有者連絡先データを特定するデータを送信する送信手段と、
前記送信手段による所有者連絡先データを特定するデータの送信に対する応答として前記サーバ装置から送信されてくるユニークな識別データを受信する受信手段と、
シート状媒体に形成されている画像を読み取り画像データを生成する装置であるスキャナーが前記一の書籍に形成されている画像を読み取ることにより生成した前記一の書籍の画像データを取得する取得手段と、
前記取得手段により取得された前記一の書籍の画像データにより示される画像に対し、前記受信手段により受信された前記ユニークな識別データを示す画像を付加した合成画像を示す合成画像データを生成する生成手段と
を備える端末装置。
【請求項１５】
シート状媒体に画像を形成するプリンターに対し、前記所有者連絡先データおよび前記ユニークな識別データの少なくとも一部を示す画像の形成を指示する指示手段を備える
請求項１４に記載の端末装置。
【請求項１６】
前記送信手段は、前記サーバ装置に対し、前記一の書籍を識別する書籍識別データを送信する
請求項１４または１５に記載の端末装置。
【請求項１７】
前記送信手段は、前記サーバ装置に対し、前記端末装置の使用者の連絡先を示す使用者連絡先データを特定するデータを送信する
請求項１４乃至１６のいずれかに記載の端末装置。
【請求項１８】
計時を行い、現在時刻を示す時刻データを生成する計時手段を備え、
前記送信手段は、前記所有者連絡先データを特定するデータを送信する際、前記計時手段により生成された現在時刻を示す時刻データを前記サーバ装置に対し送信する
請求項１４乃至１７のいずれかに記載の端末装置。
【請求項１９】
公開鍵基盤における自機の秘密鍵を用いて、前記生成手段により生成された前記合成画像データにデジタル署名を施すデジタル署名手段を備える
請求項１４乃至１８のいずれかに記載の端末装置。
【請求項２０】
請求項９に記載のサーバ装置と、
請求項１４または１５に記載の端末装置と、
前記一の書籍に形成されている画像を読み取り、前記一の書籍の画像データを生成するスキャナーと
を備えるシステム。
【請求項２１】
請求項１０に記載のサーバ装置と、
請求項１６に記載の端末装置と
を備えるシステム。
【請求項２２】
請求項１１に記載のサーバ装置と、
請求項１７に記載の端末装置と
を備えるシステム。
【請求項２３】
請求項１２に記載のサーバ装置と、
請求項１８に記載の端末装置と
を備えるシステム。
【請求項２４】
請求項１３に記載のサーバ装置と、
請求項１９に記載の端末装置と
を備えるシステム。
【請求項２５】
コンピュータを、
請求項９に記載のサーバ装置が備える前記取得手段、前記受信手段、前記生成手段、前記記憶手段および前記送信手段として機能させる
プログラム。
【請求項２６】
前記コンピュータを、
請求項１０に記載のサーバ装置が備える前記送信手段および前記記憶手段として機能させる
請求項２５に記載のプログラム。
【請求項２７】
前記コンピュータを、
請求項１１に記載のサーバ装置が備える前記取得手段、前記受信手段および前記記憶手段として機能させる
請求項２６に記載のプログラム。
【請求項２８】
前記コンピュータを、
請求項１２に記載のサーバ装置が備える前記時刻データ取得手段および前記記憶手段として機能させる
請求項２７に記載のプログラム。
【請求項２９】
前記コンピュータを、
請求項１３に記載のサーバ装置が備える前記記憶手段、前記受信手段および前記送信手段として機能させる
請求項２８に記載のプログラム。
【請求項３０】
コンピュータを、
請求項１４に記載の端末装置が備える前記送信手段、前記受信手段、前記取得手段および前記生成手段として機能させる
プログラム。
【請求項３１】
前記コンピュータを、
請求項１５に記載の端末装置が備える前記指示手段として機能させる
請求項３０に記載のプログラム。
【請求項３２】
前記コンピュータを、
請求項１６に記載の端末装置が備える前記送信手段として機能させる
請求項３１に記載のプログラム。
【請求項３３】
前記コンピュータを、
請求項１７に記載の端末装置が備える前記送信手段として機能させる
請求項３２に記載のプログラム。
【請求項３４】
前記コンピュータを、
請求項１８に記載の端末装置が備える前記計時手段および前記送信手段として機能させる
請求項３３に記載のプログラム。
【請求項３５】
前記コンピュータを、
請求項１９に記載の端末装置が備える前記デジタル署名手段として機能させる
請求項３４に記載のプログラム。
【発明の詳細な説明】
【技術分野】
【０００１】
本発明は、ネットワークを介したデータの不正な提供を抑止するためのシステムに関する。
【背景技術】
【０００２】
近年、タッチパネルを備えたスマートフォンやタッチパッドなどの端末装置が普及している。それらの端末装置は電子書籍の閲覧に適している。読者が指（またはスタイラス）を用いてページめくりなどの操作を直感的に行うことができるためである。
【０００３】
電子書籍は物理的な大きさや重量がないため、その保管や持ち運びに便利である。また、電子書籍には、読者が読みやすいサイズに文字等のサイズを変更するなど、紙媒体の書籍（以下、「紙媒体書籍」という）にはない利便性を与えることもできる。そのため近年、急速に電子書籍の人気が高まっている。
【０００４】
その一方で、少なくとも現時点において日本語の書籍に関しては、電子化され販売されている書籍のタイトルはまだ非常に限られている。従って、電子化されておらず紙媒体でしか提供されていない書籍を電子書籍として利用したい、と思う読者の中には、自分で購入した紙媒体書籍をスキャナーにより読み取り自ら電子化する者も少なくない。
【０００５】
なお、上記のように紙媒体書籍をスキャナーで読み取ることで電子化する作業には相応の手間、時間および技術を要する。そのため、紙媒体書籍の所有者の依頼に応じてその書籍を電子化する作業の代行に対するニーズがある。
【０００６】
正規に購入した紙媒体書籍の所有者が、自分が書籍の内容を閲覧する目的でその紙媒体書籍をスキャンし電子書籍のデータ（以下、「電子書籍データ」という）を生成し利用することは書籍の著作者等の利益を損ねることではない。
【０００７】
しかしながら、電子的なデータは、インターネットなどの通信ネットワークを通じて、配信元の情報を秘匿しながら比較的容易に流通させることができる。従って、紙媒体書籍がいったん電子化されると、いわゆるカジュアルコピーとその頒布が行われる危険性が高まる。
【０００８】
すなわち、紙媒体書籍の所有者が著作権の侵害等の違法性をあまり意識することなく、電子書籍データをコピーして知人に電子メールで送信したり、Ｗｅｂページから広く不特定多数の人々に配信したりする、といった行為が行われる危険性が高まる。これらの電子書籍データの頒布行為は書籍の販売数の低下をもたらすなど、著作権者等の利益を損ねる。
【０００９】
上記のような紙媒体書籍の電子化に伴う問題を解決するための技術として、例えば特許文献１には、スキャナーが書籍のスキャンを行う際、サーバ装置にスキャンの可否を問い合わせ、スキャンが許可されていない書籍に関してはそのスキャンを行わない、という仕組みが提案されている。
【先行技術文献】
【特許文献】
【００１０】
【特許文献１】特開２００５−０３１７９１号公報
【発明の概要】
【発明が解決しようとする課題】
【００１１】
上述したように、紙媒体書籍の正規な購入者が自分の書籍を電子化して自分だけで利用することは、著作権者等の利益を何ら害することはない。むしろ紙媒体書籍の電子化を禁止すると、紙媒体書籍を持ち歩きたくない読者（例えば、満員電車で通勤中にのみ書籍を読みたいという読者）は書籍の購入を断念するため、書籍の購入数の減少がもたらされ、著作権者等にとっても望ましくない。
【００１２】
一方、上述したように、紙媒体書籍の電子書籍データが出版社等を介することなくインターネット等を介して頒布されると、書籍の購入数の減少がもたらされ、著作権者等にとってやはり望ましくない。
【００１３】
以上述べた事情に鑑み、本発明は紙媒体書籍からスキャンにより生成された電子書籍データのカジュアルコピーとその頒布を防止する手段を提供することを目的とする。
【課題を解決するための手段】
【００１４】
上記の目的を達するために、本発明は以下のような仕組みを提案する。まず、紙媒体書籍のスキャンが行われる際、スキャンを行う者（書籍の所有者もしくはスキャン業者）の端末装置からサーバ装置に、書籍の所有者の連絡先を示す所有者連絡先データを特定するデータが送信される。
【００１５】
なお、所有者の連絡先とは、例えば所有者の電子メールアドレスや携帯電話番号などである。また、所有者連絡先データを特定するデータは、所有者連絡先データそのものであってもよいし、所有者連絡先データに対しサーバ装置等において割り当てられたユーザＩＤ（Identifier）などの識別データであってもよい。
【００１６】
また、所有者連絡先データを特定するデータが、所有者連絡先データそのものでない場合、サーバ装置は予め、ユーザＩＤ等で識別される所有者連絡先データを取得しておく必要がある。
【００１７】
続いて、サーバ装置が、上記の所有者連絡先データを特定するデータの受信に応じて、ユニークな識別データを生成し、そのユニークな識別データと、受信した所有者連絡先データを特定するデータにより特定される所有者連絡先データとを対応付けて記憶する。
【００１８】
このユニークな識別データは、書籍の電子化により生成される電子書籍データを個々に識別するためのデータである。このユニークな識別データがサーバ装置において所有者連絡先データと対応付けて記憶されることにより、サーバ装置はユニークな識別データに基づき電子書籍データの所有者の連絡先を特定することが可能となる。
【００１９】
続いて、サーバ装置が所有者連絡先データを特定するデータの送信元の端末装置に対しその応答として、上記のように生成したユニークな識別データを送信する。
【００２０】
その一方で、スキャナーが、紙媒体書籍の各ページに画像として印刷されている文字等を読み取り、画像データとして電子書籍データを生成する。
【００２１】
なお、スキャナーが生成する画像データは、ラスター形式であるか非ラスター形式であるかは問わない。また、スキャナーが生成する画像データは、エンコードされていてもよいしエンコードされていなくてもよい。すなわち、一般的な画像表示プログラムもしくは電子書籍閲覧用の専用のプログラムに従ったコンピュータの処理により、コンピュータのディスプレイに表示されるべき書籍の内容を示す画像を生成可能なデータであれば、スキャナーが生成する画像データのフォーマットはいずれのものであってもよい。
【００２２】
続いて、端末装置が、上記のスキャナーにより生成された書籍の画像データを取得する。スキャナーが端末装置に接続（内蔵・外付け、有線接続・無線接続を問わない）されている場合、端末装置はスキャナーから送信される書籍の画像データを受信することにより取得する。また、スキャナーが端末装置に接続されていない場合、端末装置は例えばメモリーカードなどの記録媒体に記録された書籍の画像データを記録媒体から読み出すことにより取得する。
【００２３】
続いて、端末装置は、上記のように取得した書籍の画像データにより示される画像に対し、サーバ装置から受信したユニークな識別データを示す画像を付加した合成画像を示す合成画像データを生成する。
【００２４】
ユニークな識別データを示す画像とは、例えば、文字、数字、記号の列を示す画像や、二次元バーコードなどの画像である。
【００２５】
このような仕組みによれば、端末装置により生成される電子書籍データの内容を表示すると、書籍の所有者の連絡先を示す識別情報が表示される。従って、電子書籍データが頒布されていることを知った著作権者等はその識別情報を、サーバ装置を管理している管理団体に通報することで、管理団体から書籍の所有者に対し頒布の停止を命じてもらう、といった望ましい処置が可能となる。その結果、電子書籍データの所有者による安易な電子書籍データの頒布が防止される。
【００２６】
また、上述した本発明にかかる仕組みに以下を追加してもよい。すなわち、スキャナーによる画像の読み取りが完了した後の書籍に対し、プリンターがスキャン済みであることを示す画像を印刷する。プリンターにより書籍に印刷される画像は、望ましくは、端末装置がサーバ装置から受信したユニークな識別データか、もしくは所有者連絡先データの少なくとも一部である。プリンターは、例えば端末装置からの指示に従い、その画像の印刷を行う。
【００２７】
このような仕組みによれば、書籍の所有者が、電子化の完了した紙媒体書籍を他人に販売する、という著作権者等の利益を不当に損なう行為が防止される。なお、書籍の所有者が紙媒体書籍を他人に販売すること自体は中古書籍販売として何ら問題はないが、紙媒体書籍の販売後も電子書籍の形で書籍を保有するならば、それは書籍を複製してその一方を販売したことになり、複製権に抵触するおそれがある。上記の仕組みによれば、そのような問題が防止される。
【００２８】
また、上述した本発明にかかる仕組みに以下を追加してもよい。すなわち、書籍のスキャンの際、端末装置がサーバ装置に対し、書籍を識別する書籍識別データを送信する。サーバ装置は、上述したユニークな識別データと端末装置から受信した書籍識別データとを対応付けて記憶する。
【００２９】
なお、書籍を識別する書籍識別データは、例えば、書籍のタイトルおよび版番号を示すテキストデータであってもよいし、それらを特定可能なＩＳＢＮ（International Standard Book Number）などの識別データであってもよい。
【００３０】
このような仕組みによれば、管理団体は著作権者等からの通報を受けた際、違法に頒布されている電子書籍データがどの書籍のデータであるかを容易に特定することができるため、頒布の事実の確認や所有者への頒布の停止の命令をスムーズに行うことができる。
【００３１】
また、上述した本発明にかかる仕組みに以下を追加してもよい。すなわち、書籍のスキャンの際、端末装置がサーバ装置に対し、端末装置の使用者（書籍の所有者もしくはスキャン業者）の連絡先を示す使用者連絡先データを特定するデータを送信する。サーバ装置は、上述したユニークな識別データと端末装置から受信した使用者連絡先データを特定するデータにより特定される使用者連絡先データとを対応付けて記憶する。
【００３２】
なお、使用者の連絡先とは、例えば使用者の電子メールアドレスや携帯電話番号などである。また、使用者連絡先データを特定するデータは、使用者連絡先データそのものであってもよいし、使用者連絡先データに対しサーバ装置等において割り当てられた業者ＩＤなどの識別データであってもよい。
【００３３】
また、使用者連絡先データを特定するデータが、使用者連絡先データそのものでない場合、サーバ装置は予め、業者ＩＤ等で識別される使用者連絡先データを取得しておく必要がある。
【００３４】
このような仕組みによれば、管理団体は著作権者等からの通報を受けた際、違法に頒布されている電子書籍データが誰によりスキャンされたデータであるかを容易に特定することができる。そのため、例えば書籍の所有者の連絡先が変更されているなどの理由で所有者に連絡が取れない場合、管理団体はスキャン業者に対し連絡を行い所有者の変更後の連絡先を問い合わせるなどの対処を行うことができる。
【００３５】
また、上述した本発明にかかる仕組みに以下を追加してもよい。すなわち、サーバ装置が端末装置から所有者連絡先データを特定するデータを受信する際、現在時刻を示す時刻データを取得する。サーバ装置は、上述したユニークな識別データと取得した時刻データとを対応付けて記憶する。
【００３６】
なお、サーバ装置は自ら計時を行い、現在時刻を示す時刻データを生成することによりそれを取得してもよいし、端末装置から送信されてくる時刻データを受信することによりそれを取得してもよい。
【００３７】
このような仕組みによれば、管理団体は著作権者等からの通報を受けた際、違法に頒布されている電子書籍データがいつスキャンされたデータであるかを容易に特定することができる。そのため、管理団体は、例えば書籍の所有者への連絡の際に事実関係の確認をスムーズに行うことができる。
【００３８】
また、上述した本発明にかかる仕組みに以下を追加してもよい。すなわち、端末装置が、公開鍵基盤における自機の秘密鍵を用いて、合成画像データにデジタル署名を施す。
【００３９】
このような仕組みによれば、例えば管理団体は、電子書籍データの作成者をより高い信頼性で特定することができる。また、例えば管理団体は、電子書籍データの改ざんがないことを確認することができる。そのため、電子書籍データから所有者の連絡先を特定する識別情報（ユニークな識別データの画像）を削除するといった行為が防止される。
【００４０】
また、上述した本発明にかかる仕組みに以下を追加してもよい。すなわち、サーバ装置が、公開鍵基盤における端末装置の公開鍵を予め記憶しておく。その後、サーバ装置がいずれかの装置から、端末装置の公開鍵の要求を示す要求データを受信する。サーバ装置は、要求データの受信に応じて、要求データの送信元の装置に対し端末装置の公開鍵を送信する。
【００４１】
このような仕組みによれば、サーバ装置が鍵管理サーバの役割を兼ねるため、他の鍵管理サーバを利用する場合と比較してシステムの構成が簡易となる。
【００４２】
なお、本発明は、上述した仕組みにおいて実行される方法、上述した仕組みを実現するために用いられるサーバ装置および端末装置、それらをコンピュータにより実現させるためのプログラム、および上述した仕組みを実現するために用いられるシステムを提案する。
【図面の簡単な説明】
【００４３】
【図１】実施形態にかかる電子書籍管理システムの全体構成を模式的に示した図である。
【図２】実施形態にかかる端末装置の機能構成を模式的に示したブロック図である。
【図３】実施形態にかかるサーバ装置の機能構成を模式的に示したブロック図である。
【図４】実施形態にかかるスキャン業者データベースのデータ構造を模式的に示した図である。
【図５】実施形態にかかる所有者データベースのデータ構造を模式的に示した図である。
【図６】実施形態にかかる電子書籍データベースのデータ構造を模式的に示した図である。
【図７】実施形態にかかる電子書籍登録画面を模式的に示した図である。
【図８】実施形態にかかる著作権者等の端末装置に表示される電子書籍のページを模式的に示した図である。
【図９】実施形態にかかる携帯電話機に表示される違法頒布通報ページを模式的に示した図である。
【発明を実施するための形態】
【００４４】
［実施形態］
以下、本発明の一具体例である電子書籍管理システム１を説明する。電子書籍管理システム１は、紙媒体書籍の電子化においてその書籍の所有者の連絡先等を照会するための二次元バーコードを電子書籍に付加する仕組みを提供するシステムである。
【００４５】
図１は、電子書籍管理システム１の全体構成を模式的に示した図である。電子書籍管理システム１は、紙媒体書籍１８をスキャンし電子書籍データを生成するスキャナー１１、スキャナー１１と無線もしくは有線で通信接続されスキャン業者のスタッフに操作されるＰＣ（Personal Computer）である端末装置１２、端末装置１２とインターネット１９を介してデータ通信可能なサーバ装置１３、端末装置１２と無線もしくは有線で通信接続され端末装置１２の指示に従い紙媒体書籍１８に対し画像を印刷するプリンター１４を備えている。
【００４６】
なお、図１においては、図を簡略化する目的で、端末装置１２およびそれに接続されるスキャナー１１とプリンター１４が１台ずつしか表示されていないが、実際には任意数のスキャン業者の各々が任意数の端末装置１２およびスキャナー１１とプリンター１４を用いる。従って、実際には電子書籍管理システム１は多数の端末装置１２、スキャナー１１およびプリンター１４を含むことになる。
【００４７】
また、図１においては、サーバ装置１３は１台であるものとしているが、サーバ装置１３は筐体が１つの装置で構成されていてもよいし、互いに連携動作する複数の筐体の装置群で構成されてもよい。例えば、サーバ装置１３の処理負荷が大きい場合、バランサーにより複数のデータ処理のジョブを複数の装置の各々に配分する、といった構成が採用されてもよい。
【００４８】
紙媒体書籍１８の所有者（以下、単に「所有者」という）は、紙媒体書籍１８の電子化をスキャン業者に依頼したい場合、例えばスキャン業者に紙媒体書籍１８を郵送する。もしくは、所有者がスキャン業者に電子化に伴う費用とともに書籍の購入代金を支払い、スキャン業者が書籍の購入から代行を行ってもよい。
【００４９】
紙媒体書籍１８はスキャン業者により綴じ代（背の部分）が裁断され、表裏に連続したページの内容が各々印刷された紙の束とされる。
【００５０】
スキャナー１１はＡＤＦ（Auto Document Feeder）を備え、端末装置１２からの指示に従い、ＡＤＦにセットされた紙媒体書籍１８の紙を１枚ずつ原稿トレイ上に搬送しては原稿の表面および裏面の各々をイメージセンサで撮像し、表面のページの画像および裏面のページの画像を各々示す画像データを生成する。
【００５１】
なお、スキャナー１１の構造およびその動作は、ＡＤＦを備え両面スキャンが可能な既存のスキャナーと同様であるので、その説明を省略する。
【００５２】
プリンター１４はＡＤＦを備え、端末装置１２からの指示に従い、ＡＤＦにセットされた紙媒体書籍１８（スキャナー１１によるスキャン処理が完了した後のもの）の紙を１枚ずつ印刷部に搬送しては紙の上に画像を印刷する。
【００５３】
なお、プリンター１４の構造およびその動作は、ＡＤＦを備える既存のプリンターと同様であるので、その説明を省略する。
【００５４】
端末装置１２は、一般的なＰＣに本発明にかかるプログラムに従った処理を実行させることにより実現される。なお、端末装置１２が、例えば以下の機能構成部の各々をハードウェアとして備える専用機として実現されてもよい。
【００５５】
図２は、端末装置１２の機能構成を模式的に示したブロック図である。端末装置１２は、以下の機能構成部を備えている。
【００５６】
送信手段１２１：サーバ装置１３に各種データを送信する。
受信手段１２２：サーバ装置１３から各種データを受信する。
取得手段１２３：スキャナー１１から紙媒体書籍１８をスキャンして生成された電子書籍データを受信する。
生成手段１２４：取得手段１２３によりスキャナー１１から受信された電子書籍データと、受信手段１２２によりサーバ装置１３から受信された二次元バーコードの画像データと用いて、電子書籍の画像に二次元バーコードの画像を付加した合成画像を示す二次元バーコード付電子書籍データを生成する。
デジタル署名手段１２５：端末装置１２に固有の秘密鍵を用いて、二次元バーコード付電子書籍データに対しデジタル署名を施す。
指示手段１２６：プリンター１４に二次元バーコードの画像の印刷を指示する。
【００５７】
なお、データＡに「デジタル署名を施す」とは、データＡのメッセージダイジェスト（データＡを引数として所定のアルゴリズムに従い生成されるデータＡよりデータサイズが小さいデータであり、データＡと少しでも異なるデータからは生成が現実的に不可能なデータ）を生成し、そのメッセージダイジェスト（もしくはメッセージダイジェストの付加されたデータＡ）を公開鍵基盤における秘密鍵により暗号化することを意味する。
【００５８】
デジタル署名が施されたデータＡに伴うメッセージダイジェストがデジタル署名時に用いられた秘密鍵と対をなす公開鍵により正しく復号化されると、データＡの出所が公開鍵と対の秘密鍵を持つ者であることが保証される。また、データＡのメッセージダイジェストを生成し、復号化されたメッセージダイジェストと比較し、それらが一致した場合、データＡが改ざんされていないことが保証される。
【００５９】
サーバ装置１３は、一般的なＰＣに本発明にかかるプログラムに従った処理を実行させることにより実現される。なお、サーバ装置１３が、例えば以下の機能構成部の各々をハードウェアとして備える専用機として実現されてもよい。
【００６０】
図３は、サーバ装置１３の機能構成を模式的に示したブロック図である。サーバ装置１３は、以下の機能構成部を備えている。
【００６１】
受信手段１３１：端末装置１２から各種データを受信する。（所有者の連絡先等のデータを取得する取得手段としても機能する。）
生成手段１３２：端末装置１２からの所有者の連絡先等のデータの受信に応じて、スキャン業者により生成される電子書籍データを識別する電子書籍ＩＤを生成する。
記憶手段１３３：各種データを記憶する。
送信手段１３４：端末装置１２に各種データを送信する。
計時手段１３５：基準時刻からの経過時間を継続的に計測することにより現在時刻を示す時刻データを生成する。（時刻データを取得する時刻データ取得手段としても機能する。）
【００６２】
サーバ装置１３は記憶手段１３３に、スキャン業者の各々に関する各種データを管理するスキャン業者データベース、書籍の所有者の各々に関する各種データを管理する所有者データベース、電子書籍データの各々に関する各種データを管理する電子書籍データベースを記憶し管理している。
【００６３】
図４は、スキャン業者データベースのデータ構造を模式的に示した図である。スキャン業者データベースはスキャン業者の各々に関するデータを格納したデータレコードの集まりである。スキャン業者データベースの各データレコードには、以下のデータフィールドが含まれている。
【００６４】
スキャン業者ＩＤ：スキャン業者を識別するスキャン業者ＩＤを格納する。
パスワード：スキャン業者の本人確認を行うためのパスワードを格納する。
代表者名：スキャン業者の代表者の氏名を示すテキストを格納する。
住所：スキャン業者の住所を示すテキストを格納する。
電話番号：スキャン業者の電話番号を格納する。
電子メールアドレス：スキャン業者の電子メールアドレスを格納する。
公開鍵：スキャン業者に固有の公開鍵を格納する。
秘密鍵：スキャン業者に固有の秘密鍵を格納する。
【００６５】
なお、スキャン業者データベースに格納される住所、電話番号および電子メールアドレスは、スキャン業者の連絡先を示すデータ（使用者連絡先データ）である。
【００６６】
また、秘密鍵と公開鍵は公開鍵基盤に従った互いに対をなす鍵であり、例えば管理団体（サーバ装置１３の管理者）がスキャン業者の登録手続を行った際、サーバ装置１３において生成されたものである。
【００６７】
図５は、所有者データベースのデータ構造を模式的に示した図である。所有者データベースは書籍の所有者の各々に関するデータを格納したデータレコードの集まりである。所有者データベースの各データレコードには、以下のデータフィールドが含まれている。
【００６８】
所有者ＩＤ：所有者を識別する所有者ＩＤを格納する。
氏名：所有者の氏名を示すテキストを格納する。
住所：所有者の住所を示すテキストを格納する。
電話番号：所有者の電話番号を格納する。
電子メールアドレス：所有者の電子メールアドレスを格納する。
【００６９】
なお、所有者データベースに格納される住所、電話番号および電子メールアドレスは、所有者の連絡先を示すデータ（所有者連絡先データ）である。
【００７０】
図６は、電子書籍データベースのデータ構造を模式的に示した図である。電子書籍データベースは電子書籍データの各々に関するデータを格納したデータレコードの集まりである。電子書籍データベースの各データレコードには、以下のデータフィールドが含まれている。
【００７１】
電子書籍ＩＤ：電子書籍データを識別する電子書籍ＩＤ（ユニークな識別データ）を格納する。
所有者ＩＤ：電子書籍データの所有者の所有者ＩＤを格納する。
スキャン業者ＩＤ：電子書籍データの生成を行ったスキャン業者のスキャン業者ＩＤを格納する。
ＩＳＢＮ：書籍のＩＳＢＮを格納する。
タイトル：書籍のタイトルを示すテキストを格納する。
版番号：書籍の版番号（「初版」「第二版」など）を示すテキストを格納する。
日時：電子書籍データの生成が行われた日時を示す時刻データを格納する。
【００７２】
なお、電子書籍データベースに格納されるＩＳＢＮおよびタイトルと版番号の組み合わせは、各々、同じ内容の書籍を他の内容の書籍から識別するデータ（書籍識別データ）である。
【００７３】
また、電子書籍データベースに格納される日時は、例えばその時刻データを含むデータレコードが生成された時点で計時手段１３５により生成された時刻データである。ただし、電子書籍データの生成のおおよその日時を示す時刻データであればいずれの時刻データであってもよい。それらの時刻データとしては、例えば電子書籍ＩＤの二次元バーコードの画像データがサーバ装置１３から端末装置１２に送信された時点で計時手段１３５により生成された時刻データなどが考えられる。
【００７４】
続いて、電子書籍管理システム１の動作を説明する。
【００７５】
まず、スキャン業者は電子書籍管理システム１の利用にあたり、事前準備として管理団体に対する登録手続と電子書籍登録用プログラムの端末装置１２に対するインストールを行う必要がある。
【００７６】
スキャン業者のスタッフは、例えば端末装置１２のブラウザ画面において所定のＵＲＬ（サーバ装置１３上のＵＲＬ）を入力し、スキャン業者登録画面を表示させる。スキャン業者登録画面において、スキャン業者のスタッフはスキャン業者名、代表者氏名、住所、電話番号、電子メールアドレスを入力し、例えば「登録」ボタンをクリックすることにより、管理団体に対するスキャン業者の登録依頼を行う。
【００７７】
スキャン業者のスタッフによりスキャン業者登録画面において入力されたデータは端末装置１２からサーバ装置１３に送信され、スキャン業者データベースの新しいデータレコードの対応するデータフィールドに格納される。
【００７８】
なお、スキャン業者の登録は、例えばスキャン業者から郵送により通知を受けた管理団体のスタッフによりサーバ装置１３に対し直接行われてもよい。
【００７９】
サーバ装置１３は、スキャン業者データベースに新たなデータレコードを追加する際、スキャン業者ＩＤとパスワードの組み合わせと、公開鍵と秘密鍵のペアとを生成し、それらを新たに追加したデータレコードの対応するデータフィールドに格納する。
【００８０】
上記のように生成されたスキャン業者ＩＤとパスワードの組み合わせは、例えば郵送等により管理団体からスキャン業者に通知される。
【００８１】
スキャン業者のスタッフは、スキャン業者ＩＤおよびパスワードを受け取ると、端末装置１２のブラウザ画面において所定のＵＲＬを入力し、インターネット１９上の所定の場所から電子書籍登録用プログラムを端末装置１２にダウンロードしインストールする。以上でスキャン業者が電子書籍管理システム１を利用するために要する事前準備が完了する。
【００８２】
スキャン業者に対し書籍の所有者から電子書籍データの作成の依頼があった場合、スキャン業者のスタッフは紙媒体書籍１８を所有者から郵送もしくは代行購入により入手し、綴じ代（背の部分）を裁断し、紙の束の状態とした紙媒体書籍１８をスキャナー１１のＡＤＦにセットする。
【００８３】
続いて、スキャン業者のスタッフは、端末装置１２にインストールされている電子書籍登録用プログラムを起動する。電子書籍登録用プログラムの起動により、端末装置１２には、まず、スキャン業者の本人確認を行うためのログイン画面が表示される。
【００８４】
ログイン画面において、スキャン業者のスタッフは管理団体から通知されたスキャン業者ＩＤとパスワードを入力する。入力されたスキャン業者ＩＤとパスワードは端末装置１２からサーバ装置１３に送信され、サーバ装置１３においてスキャン業者データベースのデータと照合され、スキャン業者の特定および本人認証が行われる。
【００８５】
スキャン業者の特定および本人認証が正しく行われると、端末装置１２には電子書籍登録画面が表示される。
【００８６】
図７は、電子書籍登録画面を模式的に示した図である。電子書籍登録画面には、本人認証においてサーバ装置１３が特定したスキャン業者のスキャン業者名が表示される。
【００８７】
また、電子書籍登録画面には今から電子化をする紙媒体書籍１８の所有者の氏名と連絡先（住所、電話番号、電子メールアドレスの少なくとも１つ）の入力ボックスが表示される。スキャン業者のスタッフは、依頼者である書籍の所有者から連絡を受けているそれらの情報を入力ボックスに入力する。
【００８８】
また、電子書籍登録画面には今から電子化をする紙媒体書籍１８のＩＳＢＮもしくはタイトルと版番号の入力ボックスが表示される。スキャン業者のスタッフは、紙媒体書籍１８にＩＳＢＮが印刷されている場合はそのＩＳＢＮを、印刷されていない場合は紙媒体書籍１８のタイトルと版番号を、入力ボックスに入力する。
【００８９】
以上の入力が完了すると、スキャン業者のスタッフは電子書籍登録画面の「スキャン開始」ボタンをクリックする。この操作に応じて、端末装置１２はスタッフに入力されたデータをサーバ装置１３に送信する。
【００９０】
サーバ装置１３は、端末装置１２から送信されてくるデータを受信すると、まず所有者に関するデータを所有者データベースに登録する。その際、既に所有者データベースに同じデータが登録されている場合、サーバ装置１３は重複してそれを登録することはなく、既にその所有者に割り当てられている所有者ＩＤを特定する。
【００９１】
一方、同じデータの登録がない場合、サーバ装置１３は所有者データベースに新たなデータレコードを追加し、端末装置１２から受信したデータを対応するデータフィールドに格納するとともに、所有者ＩＤを新たに割り当てる。
【００９２】
続いて、サーバ装置１３は電子書籍データベースに新たなデータレコードを追加し、そのデータレコードに新たな電子書籍ＩＤを割り当てるとともに、その時点で計時手段１３５により最後に生成された現在時刻データをデータフィールド「日時」に格納する。さらに、サーバ装置１３は端末装置１２から受信した書籍に関するデータをそのデータレコードの対応するデータフィールドに格納する。
【００９３】
サーバ装置１３は、上記のように新たに電子書籍データベースに追加したデータレコードの電子書籍ＩＤと、サーバ装置１３が配信する違法頒布通報ページのＵＲＬとを示す二次元バーコードの画像データを生成する。なお、違法頒布通報ページとは、著作権者等が違法に頒布されている電子書籍データを発見した場合、その事実を管理団体に通報するためのＷｅｂページである。
【００９４】
サーバ装置１３は生成した二次元バーコードの画像データを端末装置１２に送信する。端末装置１２は二次元バーコードの画像データを受信すると、スキャナー１１に対しスキャン処理の指示を行う。スキャナー１１はその指示に従い紙媒体書籍１８をスキャンし、電子書籍データを生成し、生成した電子書籍データを端末装置１２に送信する。
【００９５】
端末装置１２はスキャナー１１から受信した電子書籍データが示す第１ページの画像（通常、表表紙の画像）の所定位置（例えば、右下位置）に、サーバ装置１３から受信した二次元バーコードの画像データが示す画像をオーバーレイした画像を示す画像データを生成し、スキャナー１１から受信した電子書籍データに含まれる第１ページの画像データを新たに生成した画像データで差し替える。それにより、二次元バーコード付電子書籍データ（合成画像データ）が生成される。
【００９６】
スキャン業者は上記のように生成された二次元バーコード付電子書籍データを依頼者である書籍の所有者に引き渡す。なお、二次元バーコード付電子書籍データの引き渡し方としては、（１）所有者の電子メールアドレスに宛てて電子メールで送信する方法、（２）所有者の住所に宛ててＣＤ−ＲＯＭ等の記録媒体に記録して郵送する方法、（３）ファイル交換用のサーバ装置に二次元バーコード付電子書籍データをアップロードし、ダウンロード用のＵＲＬおよびパスワードを所有者に通知してダウンロードしてもらう方法、などがある。
【００９７】
ところで、スキャンを行った後の紙媒体書籍１８については、書籍の所有者の希望に従いスキャン業者から所有者に返却される場合と、スキャン業者において破棄される場合がある。前者の場合、スキャン業者のスタッフは、スキャン後の紙媒体書籍１８の紙の束をプリンター１４のＡＤＦにセットした後、端末装置１２に表示される電子書籍登録画面の「印刷開始」ボタンをクリックする。この操作に応じて、端末装置１２は電子書籍データに合成したものと同じ二次元バーコードの画像を紙媒体書籍１８の各ページに印刷する。
【００９８】
上記のように紙媒体書籍１８に印刷された二次元バーコードは、その紙媒体書籍１８が既に電子化されていることを示す役割を果たす。従って、仮に書籍の所有者が電子化済みの紙媒体書籍１８を他人に販売しようとする場合、買い手はその紙媒体書籍１８が既に電子化されたものであり、本来販売されるべきものでないことを容易に知ることができる。
【００９９】
また、仮にそのような紙媒体書籍１８が流通した場合、著作権者等は印刷されている二次元バーコードを管理団体に通報することで、所有者に販売の中止を求めたり、スキャン業者に注意勧告を求めたりすることができる。その結果、スキャン済みの紙媒体書籍１８が安易に販売されることがなくなる。
【０１００】
以上が、書籍の電子化における電子書籍管理システム１の動作である。
【０１０１】
上記のように二次元バーコードが付された電子書籍は、書籍の所有者がカジュアルコピーを行い頒布することを抑止する効果がある。また、二次元バーコードが付されたスキャン後の紙媒体書籍も、書籍の所有者が安易に販売することを抑止する効果がある。
【０１０２】
例えば、書籍の所有者が、二次元バーコード付電子書籍データを違法なファイルダウンロード用のサイトにアップロードしたり、オークションサイトなどでスキャン済みの紙媒体書籍の出品を行ったりしたとする。
【０１０３】
書籍の著作権者等は、二次元バーコード付電子書籍データが違法にダウンロード可能な状態になっていること、もしくはスキャン済みの紙媒体書籍が販売されていることを発見すると、その二次元バーコード付電子書籍データをダウンロードし、もしくは紙媒体書籍を購入し、それらに付加されている二次元バーコードを用いて管理団体への通報を行う。
【０１０４】
図８は、著作権者等の端末装置に表示される電子書籍の第１ページを模式的に示した図である。電子書籍の第１ページには、書籍のタイトルや作者等に加え、二次元バーコード１５１が含まれている。
【０１０５】
以下、著作権者が二次元バーコード付電子書籍データを入手した場合の通報の方法につき説明する。なお、二次元バーコードが印刷された紙媒体書籍を入手した場合も同様である。まず、著作権者等は、端末装置に表示された二次元バーコード１５１を二次元バーコードのデコード機能の付いた携帯電話機でスキャン（撮像）する。二次元バーコード１５１がデコードされると、例えば以下のＵＲＬ形式のデータが得られる。
<http://www.xyz.co.jp/report_illegal_distribution/########>
【０１０６】
ここで、末尾の「########」は電子書籍ＩＤであり、それ以外の部分が違法頒布通報ページのＵＲＬである。
【０１０７】
著作権者等の携帯電話機は、上記のＵＲＬ形式のデータをブラウザによりインターネット１９に送出する。その応答としてサーバ装置１３から送信されてくるＷｅｂページデータに従い、携帯電話機は違法頒布通報ページを表示する。
【０１０８】
図９は、携帯電話機に表示される違法頒布通報ページを模式的に示した図である。違法頒布通報ページには、二次元バーコード１５１からデコードにより得られた電子書籍ＩＤが表示される。また、二次元バーコード付電子書籍データの頒布のルートおよび通報者の連絡先を入力するための入力ボックスが表示される。著作権者等はそれらの入力ボックスに必要なデータを入力し、「通報」ボタンをクリックする。その操作に応じて、携帯電話機からサーバ装置１３に対し、著作権者等により入力されたデータが送信される。
【０１０９】
サーバ装置１３は二次元バーコード付電子書籍データの違法な頒布に関するデータを受信すると、先に受信した電子書籍ＩＤを検索キーとして電子書籍データベースからデータレコードを検索し、検索したデータレコードに含まれる所有者ＩＤおよびスキャン業者ＩＤを各々検索キーとしてスキャン業者データベースおよび所有者データベースからデータレコードを検索する。サーバ装置１３は、それらのデータレコードに含まれるデータの内容を、著作権者等の携帯電話機から受信した頒布ルート等のデータの内容とともに表示する。
【０１１０】
管理団体のスタッフは、上記のように表示される違法な頒布に関する情報に従い、その違法な頒布が行われていることを確認する。具体的には、例えば端末装置を用いて二次元バーコード付電子書籍データをダウンロードする。また、管理団体のスタッフは、二次元バーコード付電子書籍データの作成を行ったスキャン業者の公開鍵をサーバ装置１３から自分の端末装置にダウンロードし、その公開鍵で二次元バーコード付電子書籍データに施されているデジタル署名の検証を行う。
【０１１１】
続いて、管理団体のスタッフは、書籍の所有者に連絡を取り、頒布の停止を命じる。また、管理団体のスタッフは、違法に頒布されている二次元バーコード付電子書籍データの生成を行ったスキャン業者に連絡を取り、顧客に対するしっかりとした注意喚起を促す。
【０１１２】
なお、同様の問題の発生頻度が高い所有者やスキャン業者に関しては、電子書籍管理システム１の利用を禁止するといった処置がなされてもよい。管理団体のスタッフは、それらの対処を行った旨を、通報元の著作権者等に電子メール等で連絡する。
【０１１３】
以上のように、スキャン業者により生成され所有者に引き渡される二次元バーコード付電子書籍データはその所有者が管理団体により特定可能となっているため、所有者が安易に二次元バーコード付電子書籍データの違法な頒布を行うことが防止される。
【０１１４】
また、スキャン業者も顧客による違法な頒布が繰り返されると業務に支障が出るため、顧客に対し違法な頒布を行わないように十分な注意喚起を行うようになる。
【０１１５】
その結果、電子書籍として書籍を読みたい人々も紙媒体書籍を購入するため書籍の販売数が伸びると同時に、違法な頒布による紙媒体書籍の販売数低下が生じないため、電子化を行いたい所有者およびスキャン業者のみでなく、書籍の著作権者にとっても望ましい。
【０１１６】
［変形例］
上述した実施形態は、本発明の技術的思想の範囲内で様々に変形することができる。以下にそれらの変形の例を示す。
【０１１７】
上述した電子書籍管理システム１においては、電子書籍に合成される電子書籍ＩＤは二次元バーコードの形式であるものとした。本発明はそれに限定されず、例えば他の形式の図形コードや、文字、数字、記号等の形式による電子書籍ＩＤが電子書籍に合成されてもよい。電子書籍に合成された電子書籍ＩＤが文字等である場合、違法な頒布の通報を行う著作権者等は、二次元バーコードをスキャンする代りに、文字等で表示される電子書籍ＩＤを例えば携帯電話機に入力することで、管理団体への通報を行うことができる。
【０１１８】
また、上述した電子書籍管理システム１においては、電子書籍ＩＤを示す画像（二次元バーコード）は電子書籍の第１ページにのみ合成されるものとしたが、例えば最終ページなどの他のページに合成されてもよいし、全てのページなど、複数のページに合成されてもよい。また、ページ内の合成の位置も特定の位置に限定されない。例えば、端末装置１２が画像認識技術に従い空白領域（余白など）を特定し、その空白領域に二次元バーコード等の画像の合成を行う構成が採用されてもよい。
【０１１９】
また、上述した電子書籍管理システム１においては、電子書籍ＩＤを示す画像（二次元バーコード）はスキャン済みの紙媒体書籍の全１ページに印刷されるものとしたが、例えば先頭ページなどの所定ページにのみ印刷されてもよいし、例えば１０ページ毎など、不特定の複数のページに印刷されてもよい。また、ページ内の印刷の位置も特定の位置に限定されない。例えば、端末装置１２が電子画像データに基づき画像認識技術に従い空白領域（余白など）を特定し、その空白領域に二次元バーコード等の画像の印刷を行う構成が採用されてもよい。
【０１２０】
また、上述した電子書籍管理システム１の説明において、著作権者等は携帯電話機により二次元バーコードのスキャンをし、電子書籍データの違法な頒布の通報を行うものとして説明したが、例えばＰＣなどの他の形態の端末装置が通報に用いられてもよい。
【０１２１】
また、上述した電子書籍管理システム１の説明において、紙媒体書籍１８のスキャンはスキャン業者が行うものとしたが、書籍の所有者自身がスキャンを行ってもよい。その場合、例えば電子書籍データベースのデータレコードのスキャン業者ＩＤは空欄となり、管理団体は所有者にのみ連絡を取ることになる。
【０１２２】
また、上述した電子書籍管理システム１において、例えば書籍の所有者やスキャン業者の代表者の運転免許証番号をサーバ装置１３に登録するなどの方法により、所有者やスキャン業者のなりすましを防止するようにしてもよい。
【０１２３】
また、上述した電子書籍管理システム１において、例えば二次元バーコード付電子書籍データを暗号化し、復号鍵の組み込まれた専用のリーダープログラムによってのみ表示可能な構成とすることで、意図的な二次元バーコード付電子書籍データの改ざんやコピーを防止することもできる。例えば、リーダープログラムに書籍の編集機能を設けないことはもちろんのこと、印刷機能も設けないことにより、印刷用データを画像データとして書き出した後に二次元バーコードを削除する、といった改ざんが困難となる。
【０１２４】
また、専用のリーダープログラムに従い、閲覧に用いられる端末装置が自動的にサーバ装置１３から公開鍵をダウンロードし、デジタル署名の検証を行うことで、二次元バーコード付電子書籍データの改ざんの有無を確認する、という構成が採用されてもよい。その場合、改ざんが行われている可能性があれば二次元バーコード付電子書籍データの復号化を行わず、書籍の内容表示も行わないことで、改ざんを無意味化できる。
【０１２５】
また、上述した電子書籍管理システム１においては、データの暗号化および復号化には公開鍵基盤に従った非対称鍵（秘密鍵と公開鍵の対）が用いられるものとした。本発明はそれに限定されず、何らかの方法で共通鍵の交換が可能であれば、共通鍵によりデータの暗号化および復号化が行われる構成が採用されてもよい。
【０１２６】
また、上述した電子書籍管理システム１においては、書籍の電子化が行われた日時を示すデータとして、サーバ装置１３において生成される時刻データが用いられる。これに対し、端末装置１２に計時手段を設け、その計時手段による計測に基づき生成される現在時刻を示すデータを端末装置１２からサーバ装置１３に送信する構成が採用されてもよい。
【０１２７】
また、上述した電子書籍管理システム１においては、二次元バーコードは所有者の氏名・連絡先やスキャン業者の代表者名・連絡先等を直接示すことはない。この点を変形し、二次元バーコードが所有者の氏名・連絡先やスキャン業者の代表者名・連絡先等を直接示す構成が採用されてもよい。さらに、二次元バーコードに代えて、それらのデータの内容をテキストで示す画像が電子書籍に合成もしくはスキャン済みの紙媒体書籍に印刷されてもよい。それらの場合、著作権者等は直接、書籍の所有者やスキャン業者の連絡先等を知ることができ、管理団体を介さずにそれらの人に書籍の違法な頒布を辞めるように命じることができる。
【０１２８】
また、上述した電子書籍管理システム１においては、書籍の所有者およびスキャン業者の連絡先として、住所、電話番号、電子メールアドレスが用いられるものとしたが、本発明はそれに限定されず、例えばＦＡＸ番号など、他の連絡先が用いられる構成が採用されてもよい。
【０１２９】
また、上述した電子書籍管理システム１においては、端末装置１２がサーバ装置１３から二次元バーコードを受信した後に紙媒体書籍１８のスキャン処理が行われるものとしたが、本発明はそれに限定されない。従って、例えば、紙媒体書籍１８のスキャン処理が完了し、電子書籍データが生成された後に、端末装置１２がサーバ装置１３から二次元バーコードを受信し、その二次元バーコードを予め生成されている電子書籍データに合成する構成が採用されてもよい。
【０１３０】
また、電子化の対象となる書籍は紙媒体に文字等が印刷されているものとしたが、紙媒体に代えてプラスチックシートなど、他のシート状媒体が採用された書籍であってもよい。また、シート状媒体に文字等が形成される方法も印刷に限られず、例えばエンボス加工等により文字等の形成が行われた書籍であってもよい。
【０１３１】
また、上述した電子書籍管理システム１においては、端末装置１２、スキャナー１１およびプリンター１４は個別な筐体内に配置された装置であるものとしたが、それらの２つもしくは３つが同じ筐体内に統合されていてもよい。例えば、スキャナー１１とプリンター１４が１つの筐体内に統合されたいわゆる複合機として構成されてもよい。また、そのような複合機に端末装置１２の機能を持たせてもよい。
【符号の説明】
【０１３２】
１…電子書籍管理システム、１１…スキャナー、１２…端末装置、１３…サーバ装置、１４…プリンター、１８…紙媒体書籍、１９…インターネット、１２１…送信手段、１２２…受信手段、１２３…取得手段、１２４…生成手段、１２５…デジタル署名手段、１２６…指示手段、１３１…受信手段、１３２…生成手段、１３３…記憶手段、１３４…送信手段、１３５…計時手段
【図１】
2013168006.tif 000003
【図２】
2013168006.tif 000004
【図３】
2013168006.tif 000005
【図４】
2013168006.tif 000006
【図５】
2013168006.tif 000007
【図６】
2013168006.tif 000008
【図７】
2013168006.tif 000009
【図８】
2013168006.tif 000010
【図９】
2013168006.tif 000011